(57)【要約】      （修正有）【課題】保護紙を不用意に切削せず石膏のみを切削し、切削のし過ぎを抑えることができる石膏ボード用鉋を提供する。【解決手段】長方形の板材である上面板と、上面板の長手方向の両脇から垂下する支持面を形成する支持面部材と、上面板に穿設された作業穴に固定され上面板の裏面に刃先が突出する替え刃とを有する石膏ボードの切断面を切削する石膏ボード用鉋において、替え刃の端部と支持面との間に、石膏ボードの保護紙が通過可能な隙間を有する。【選択図】図１
0003138856.tif 000002
【実用新案登録請求の範囲】
【請求項１】
長方形の板材である上面板と、該上面板の長手方向の両脇から垂下する支持面を形成する支持面部材と、該上面板に穿設された作業穴に固定され該上面板の裏面に刃先が突出する替え刃とを有する石膏ボードの切断面を切削する石膏ボード用鉋において、
該替え刃の端部と該支持面との間に、該石膏ボードの保護紙が通過可能な隙間を有することを特徴とする石膏ボード用鉋。
【請求項２】
前記上面板の作業穴の上方を覆う集塵ケースを備えることを特徴とする請求項１記載の石膏ボード用鉋。
【請求項３】
前記集塵ケースが前記上面板の作業穴と連通する集塵穴を有し、
該集塵穴の端面に前記替え刃の上端辺を当接させて、該替え刃の位置決めを行うことを特徴とする請求項１又は請求項２記載の石膏ボード用鉋。
【請求項４】
前記集塵ケースを前記上面板の表面の長手方向に摺動可能に設け、
該集塵ケースの集塵穴の端面を、該上面板の表面の長手方向に移動させることにより、前記替え刃の該上面板の裏面からの突出量を変えることを特徴とする請求項３記載の石膏ボード用鉋。
【考案の詳細な説明】
【技術分野】
【０００１】
本考案は、石膏ボードの切断面を切削する石膏ボード用鉋に関する。
【背景技術】
【０００２】
従来より、建築物の内装等に用いられる石膏ボードの切断面を切削するために、石膏ボード用鉋が用いられている。この石膏ボード用鉋としては、例えば特許文献１に示されるようなものがある。特許文献１の石膏ボード用鉋は、カンナ台の底面に長手方向に、作用溝が形成されていて、作用溝底面から溝幅が広がるように斜め側面があり、カンナ台の上面には、作用溝に通ずる刃案内斜面が形成されていて、その斜面に替え刃が取り付けられている。そして、この作用溝に沿って石膏ボードを摺動させることにより、石膏ボードの切断面が替え刃の刃先によって切削される。
【特許文献１】登録実用新案第３０３１２１５号公報
【考案の開示】
【考案が解決しようとする課題】
【０００３】
しかしながら、従来の石膏ボード用鉋は、替え刃の刃先が石膏ボードの切断面の全面に接することから、石膏及び石膏ボード表面の保護紙のいずれもがどんどん切削されてしまい、切断面を整えるつもりが切削しすぎて石膏ボード自体の寸法に狂いを生じさせてしまうことがある。
【０００４】
本考案は、このような事情に鑑みてなされたもので、保護紙を不用意に切削せず石膏のみを切削し、切削のし過ぎを抑えることができる石膏ボード用鉋を提供することにある。
【課題を解決するための手段】
【０００５】
請求項１記載の石膏ボード用鉋は、替え刃の端部と支持面との間に、石膏ボードの保護紙が通過可能な隙間を有することを特徴とする。
【０００６】
請求項２記載の石膏ボード用鉋は、上面板の作業穴の上方を覆う集塵ケースを備えることを特徴とする。
【０００７】
請求項３記載の石膏ボード用鉋は、集塵ケースが上面板の作業穴と連通する集塵穴を有し、集塵穴の端面に替え刃の上端辺を当接させて、替え刃の位置決めを行うことを特徴とする。
【０００８】
請求項４記載の石膏ボード用鉋は、集塵ケースを上面板の表面の長手方向に摺動可能に設け、集塵ケースの集塵穴の端面を、上面板の表面の長手方向に移動させることにより、替え刃の上面板の裏面からの突出量を変えることを特徴とする。
【考案の効果】
【０００９】
請求項１の考案によれば、替え刃の端部と支持面との間に、石膏ボードの保護紙が通過可能な隙間を有することから、保護紙に替え刃が当たらず、保護紙を不用意に切削せず石膏のみを切削し、切削のし過ぎを抑えることができる。
【００１０】
請求項２の考案によれば、上面板の作業穴の上方を覆う集塵ケースを備えることから、切削粉の飛散を防止し、切削粉の回収が容易である。
【００１１】
請求項３の考案によれば、集塵ケースが上面板の作業穴と連通する集塵穴を有し、集塵穴の端面に替え刃の上端辺を当接させて替え刃の位置決めを行うことから、集塵ケースが替え刃の位置決め部材を兼ねており、部品点数を抑え、コストを抑えることが可能である。
【００１２】
請求項４の考案によれば、集塵ケースの集塵穴の端面を上面板の表面の長手方向に移動させることにより、容易に替え刃の上面板の裏面からの突出量を変えることができる。
【考案を実施するための最良の形態】
【００１３】
以下、本考案の形態について図面を参照しながら具体的に説明する。本考案の形態における石膏ボード用鉋は、石膏ボードの切断面を切削して整えるものである。図１は、本考案に係る石膏ボード用鉋の一例を示す斜視図である。図２は同石膏ボード用鉋の正面図、図３は同石膏ボード用鉋の平面図である。図４は、図３のＡ−Ａ線矢視部分断面図である。図５は、同石膏ボード用鉋の部分側面図である。
【００１４】
図において、本実施例の石膏ボード用鉋１は、長方形の板材である上面板１０と、上面板１０の長手方向の両脇から垂下する支持面４２を形成する支持面部材４０と、上面板１０に穿設された作業穴１２に固定され上面板１０の裏面１０ｂに刃先１６ａが突出する替え刃１６等を備えている。支持面部材４０は、角材で、上面板１０の裏面１０ｂの長手方向の両脇に横臥されている。上面板１０のほぼ中央の短手方向に穿設された作業穴１２には、短手方向の一面が傾斜した傾斜面１４が形成されている。この傾斜面１４に密接するように替え刃１６が載置され、替え刃１６の上に設けられ上面板１０の裏面１０ｂから螺嵌されたボルト２２で牽引された押さえ板２０によって、替え刃１６が傾斜面１４に挟持されている。
【００１５】
替え刃１６の刃先１６ａは、傾斜して上面板１０の裏面１０ｂの短手方向にわずかに突出している。また、替え刃１６の幅は、両側の支持面部材４０が互いに向かい合う支持面４２の間隔より短く、支持面４２と替え刃１６の端部との間には、約１ｍｍの隙間Ｓがある。この隙間Ｓは、石膏ボードの保護紙が通過可能な幅である。
【００１６】
また、上面板１０の作業穴１２の上方を覆う集塵ケース３０が設けられている。集塵ケース３０は円筒形で、本実施例では透明な樹脂製のものが用いられている。集塵ケース３０の上部は開口しており、その開口を塞ぐように着脱自在なケース蓋３０ａが設けられている。集塵ケース３０の底面には、上面板１０の作業穴１２の上方を覆う底穴３２が穿設され、集塵ケース３０の内部が、底穴３２を介して作業穴１２と連通している。また、集塵ケース３０の底面には、２つの固定穴３４が穿設され、固定穴３４に集塵ケース３０内部側から上面板１０方向に螺嵌されたボルト３６により、集塵ケース３０が上面板１０に固定されている。尚、固定穴３４の径は、ボルト３６の径よりも十分に大きく、ボルト３６の頭と集塵ケース３０との間にはワッシャ３８が入れられている。また、集塵ケース３０の上面板１０の両脇からはみ出す部分は、支持面部材４２の外側に固定された断面逆Ｌ字状の保持板４６によって保持されている。
【００１７】
また、図４に示すように、替え刃１６の上端辺１６ｂは、集塵ケース３０の底穴３２の底穴面３２ａに当接している。上端辺１６ｂが底穴面３２ａに当接することで、替え刃１６が底穴面３２ａによって位置決めされている。そして、替え刃１６の位置を変え、刃先１６ａの上面板１０の裏面１０ｂからの突出量を変える場合には、底穴面３２ａの位置を変えることにより行う。具体的には、集塵ケース３０を固定するボルト３６を緩め、集塵ケース３０自体を、図３及び図４に示す矢印方向（上面板３０の長手方向）にずらすことにより集塵ケース３０の位置を変える。移動可能量は、集塵ケース３０の固定穴３４の径とボルト３６の径との隙間の量である。
【００１８】
以上のような構成の石膏ボード用鉋１を用いて石膏ボードの切断面を切削する場合を説明する。まず作業者は、石膏ボードを所望の大きさに刃物を用いて切断する。そして、その切断した石膏ボードの切断面を、石膏ボード用鉋１の上面板１０の裏面１０ｂに押し当てつつ、石膏ボード用鉋１を摺動させる。すると、上面板１０の裏面１０ｂから突出する替え刃１６の刃先１６ａが、石膏ボードの切断面を切削することになる。
【００１９】
以上のように、本実施の形態の石膏ボード用鉋１によれば、替え刃１６の端部と支持面４２との間に、石膏ボードの保護紙が通過可能な隙間Ｓを有することから、保護紙に替え刃１６が当たらず、保護紙を不用意に切削せず石膏のみを切削し、切削のし過ぎを抑えることができる。
【００２０】
また、上面板１０の作業穴１２の上方を覆う集塵ケース３０を備えることから、切削粉の飛散を防止し、切削粉の回収が容易である。
【００２１】
さらに、集塵ケース３０が上面板１０の作業穴１２と連通する集塵穴である底穴３２を有し、底穴３２の端面である底穴面３２ａに替え刃１６の上端辺１６ｂを当接させて替え刃１６の位置決めを行うことから、集塵ケース３０が替え刃１６の位置決め部材を兼ねており、部品点数を抑え、コストを抑えることが可能である。
【００２２】
さらに、集塵ケース３０の集塵穴である底穴３２の端面である底穴面３２ａを上面板１０の表面１０ａの長手方向に移動させることにより、容易に替え刃１６の上面板１０の裏面１０ｂからの突出量を変えることができる。
【産業上の利用可能性】
【００２３】
以上のように、本考案によれば、保護紙を不用意に切削せず石膏のみを切削し、切削のし過ぎを抑えることができる石膏ボード用鉋を提供することができる。
【図面の簡単な説明】
【００２４】
【図１】本考案に係る石膏ボード用鉋の一例を示す斜視図である。
【図２】同石膏ボード用鉋の正面図である。
【図３】同石膏ボード用鉋の平面図である。
【図４】図３のＡ−Ａ線矢視部分断面図である。
【図５】同石膏ボード用鉋の部分側面図である。
【符号の説明】
【００２５】
１・・・・・石膏ボード用鉋
１０・・・・上面板
１０ａ・・・表面
１０ｂ・・・裏面
１２・・・・作業穴
１４・・・・傾斜面
１６・・・・替え刃
１６ａ・・・刃先
１６ｂ・・・上端辺
２０・・・・押さえ板
２２・・・・ボルト
３０・・・・集塵ケース
３０ａ・・・ケース蓋
３２・・・・底穴
３２ａ・・・底穴面
３４・・・・固定穴
３６・・・・ボルト
３８・・・・ワッシャ
４０・・・・支持面部材
４２・・・・支持面
４６・・・・保持板
【図１】
0003138856.tif 000003
【図２】
0003138856.tif 000004
【図３】
0003138856.tif 000005
【図４】
0003138856.tif 000006
【図５】
0003138856.tif 000007